(57)【特許請求の範囲】
【請求項１】
ピンホールディスクとマイクロレンズディスクとを回転させるモータと、
このモータを取り付けると共に顕微鏡が装着される顕微鏡接続部を有するベース板と、
当該マイクロレンズディスクと当該ピンホールディスクの間であって当該顕微鏡接続部に向かい合う位置に設けられたダイクロイックミラーと、
このダイクロイックミラーがマウントされ、前記顕微鏡からの反射光の光軸と直交する方向に摺動するように前記ベース板に取り付けられたスライダと、
を有し、
励起光を前記マイクロレンズディスク、前記ダイクロイックミラー、前記ピンホールディスク、並びに前記顕微鏡接続部をへて当該顕微鏡接続部に装着される顕微鏡に送り、当該顕微鏡から反射された光は前記顕微鏡接続部、前記ピンホールディスク、前記ダイクロイックミラーをへて観察者に送られることを特徴とする共焦点スキャナ。
【発明の詳細な説明】
【０００１】
【発明の属する技術分野】
本発明は、顕微鏡等の光学機器に装着される共焦点スキャナに関し、特に光学系のユニット化が容易で、各種の光学機器に対する装着が容易に行える構造の改良に関する。
【０００２】
【従来の技術】
顕微鏡等の光学機器では、共焦点スキャナが設けられている。このような共焦点スキャナは、例えば特開平５−６０９８０号公報に開示されている。図３は、このような従来の共焦点スキャナを説明する構成図である。図において、ピンホールディスク１は、ガラス基板に酸化クロム等の遮光膜を蒸着してピンホールを形成したもので、このピンホールは例えば周方向に一定間隔で設けられている。マイクロレンズディスク２は、このピンホールに像を結像するマイクロレンズが形成されたもので、この各マイクロレンズもピンホールと一対一に設けられている。マイクロレンズは、例えば数百μｍ間隔で設けられており、光学ガラスを用いた凸レンズでもよく、またフレネルレンズ等でもよい。
【０００３】
ハブ３は、ピンホールディスク１とマイクロレンズディスク２の姿勢を、各マイクロレンズの焦点位置に各ピンホールが配置されるように、保持する。モータ４は、ピンホールディスク１、マイクロレンズディスク２、並びにハブ３を一定速度で回転させることで、ピンホールの像を試料上で走査させる。ダイクロイックミラー(dichroic mirror)５は、ある波長の光は反射し、その他の波長の光は透過する鏡で、例えば特別な誘電体多層膜等で鏡の表面がコーティングされている。
【０００４】
本体６は、共焦点スキャナの光学系を構造的に保持する筐体である。ベース板７は、本体６の底に設けられた板部材である。ダイクロカセット８は、ダイクロイックミラー５をベース板７に取り付けるカセットである。顕微鏡マウント部９は、本体６を各種の顕微鏡に取り付けるものである。
【０００５】
【発明が解決しようとする課題】
しかしながら、ピンホールディスク１とベース板７の間隔ｄは、光学的理由から一定距離を確保する必要がある。そこで顕微鏡マウント部９をベース板７に取り付ける構造とすると、装置全体の小型化が困難になるという課題があった。また、モータ４が相対的に大型であるため、ダイクロイックミラー５の投影面上に光路を確保できないという課題があった。
【０００６】
また、装置組立時や交換時を視点に整理すると、次のような課題がある。第１は、ダイクロイックミラー５の取付け面と、モータ４の取付け部材は、本体６に対して別々の部材で取付ける必要がある。すると、相互の位置関係を精密に確保するために、各部材は高い加工精度が必要となる。特に、ダイクロイックミラー５の厚み分による光路の曲がり補正を行う為に、ピンホールディスク１に微妙な傾斜を付ける加工を行う場合は、加工が難しくなる。
【０００７】
第２に、視野をできるだけ広くとるために、ダイクロイックミラー５とピンホールディスク１、マイクロレンズディスク２の隙間が狭く、ダイクロカセット８の初期の挿入時や交換時には大変気を使う。第３に、各種の顕微鏡にあわせて装置の光学系を設計する必要があり、ユニット化による標準化が望まれていた。本発明はこのような課題を解決したもので、装置全体のユニット化による標準化と小型化ができる共焦点スキャナを提供することを目的とする。
【０００８】
【課題を解決するための手段】
上記の目的を達成するために、本発明の請求項１の共焦点スキャナは、
ピンホールディスクとマイクロレンズディスクとを回転させるモータと、
このモータを取り付けると共に顕微鏡が装着される顕微鏡接続部を有するベース板と、
当該マイクロレンズディスクと当該ピンホールディスクの間であって当該顕微鏡接続部に向かい合う位置に設けられたダイクロイックミラーと、
このダイクロイックミラーがマウントされ、前記顕微鏡からの反射光の光軸と直交する方向に摺動するように前記ベース板に取り付けられたスライダと、
を有し、
励起光を前記マイクロレンズディスク、前記ダイクロイックミラー、前記ピンホールディスク、並びに前記顕微鏡接続部をへて当該顕微鏡接続部に装着される顕微鏡に送り、当該顕微鏡から反射された光は前記顕微鏡接続部、前記ピンホールディスク、前記ダイクロイックミラーをへて観察者に送られることを特徴としている。
【０００９】
このような構成によれば、モータがダイクロイックミラーと共通のベース板に取り付けられるため、相互の位置関係が簡単な加工によって正確に確保できる。
【００１０】
ここで、ダイクロイックミラーは、前記ベース板の反射光の光軸と直交する方向に摺動するスライダにマウントされている構造とすると、顕微鏡接続部のなかで視野の移動が簡便に行える。また、前記ピンホールディスクと前記ベース板の顕微鏡マウント面との間隔は、所定の距離が確保されている構造とすると、各種の顕微鏡に対するマウントが容易に準備できる。
【００１１】
【発明の実施の形態】
以下図面を用いて、本発明を説明する。図１は本発明の一実施例を示す要部側面断面図、図２は要部上面図である。なお、図１，２において前記図３と同一作用をするものには同一符号を付して説明を省略する。図において、モータ１０は、ピンホールディスク１とマイクロレンズディスク２とを回転させるもので、ベース板７に直接ネジ止めされている。ベース板７のマウント取付面７１には、顕微鏡マウント部（図示せず）が装着される。顕微鏡接続部７２には、顕微鏡の接眼レンズが位置する。
【００１２】
スライダ１１は、ベース板７の観察光と直交する方向に取り付けられるもので、リニアベアリングでもよく、また溝による摺動を行ってもよい。ダイクロカセット１２は、スライダ１１に沿ってスライドして、顕微鏡接続部７２内でダイクロイックミラー５の視野を移動させる。ピンホールディスク１と顕微鏡マウント面７２との間隔ｄは、所定の距離が確保されている。
【００１３】
このように構成された装置において、励起光はコリメータ等によって平行光線となり、マイクロレンズディスク２、ダイクロイックミラー５、ピンホールディスク１、並びに顕微鏡接続部７２をへて顕微鏡接続部７２に装着される顕微鏡に送られ、試料上で走査される。そして、試料を反射した光は、顕微鏡接続部７２、ピンホールディスク１、ダイクロイックミラー５をへて観察者に送られる。顕微鏡からの反射光の光束の角度θは、例えば４度程度になっている。
【００１４】
なお、上記実施例においては、モータ１０とダイクロカセット１２の取付け方向がダイクロイックミラー５に対して直線状のものを示したが、本発明はこれに限定されるものではなく、１２０度等の角度をなして取り付けられていてもよい。モータ１０は、外径がなるべく小さくて、しかもピンホールディスク１とマイクロレンズディスク２の位置合わせが正確にできる構造が良い。
【００１５】
【発明の効果】
以上説明したように、請求項１の共焦点スキャナによれば、ピンホールディスクとマイクロレンズディスクとを回転させるモータと、このモータを取り付けると共に顕微鏡接続部を有するベース板と、当該マイクロレンズディスクと当該ピンホールディスクの間であって当該顕微鏡接続部に向かい合う位置に設けられたダイクロイックミラーを有する構造としているので、モータがダイクロイックミラーと共通のベース板に取り付けられ、相互の位置関係が簡単な加工によって正確に確保できる。
また、ダイクロイックミラーは、ベース板の反射光の光軸と直交する方向に摺動するスライダにマウントされている構造とすると、顕微鏡接続部のなかで視野の移動が簡便に行える。
【図面の簡単な説明】
【図１】本発明の一実施例を示す要部側面断面図である。
【図２】本発明の一実施例を示す要部上面図である。
【図３】従来の共焦点スキャナを説明する回路図である。
【符号の説明】
１  ピンホールディスク
２  マイクロレンズディスク
５  ダイクロイックミラー
７  ベース板
７２  顕微鏡接続部
１０  モータ
１１  スライダ
１２  ダイクロカセット
【図１】
0003539541.tif 000002
【図２】
0003539541.tif 000003
【図３】
0003539541.tif 000004